(57)【要約】 【課題】ユニットバスエプロン内の浴槽側排水口の上部に設置されるドレン排水部材を提供する。【解決手段】本体２の上面２ｅの中央に潜熱回収ドレン配管１６ａとの接続部３ａと、その両側にミストドレン配管１５ａを備えている。潜熱回収ドレン排水路３は、接続部３ａ、流路３ｂ、逆流防止用の水抜き孔３ｄにより構成されている。接続部４ａに導かれるミストドレンは、本体２の内側表面を伝って流下するように構成されている。前面部２ａは、背面部２ｂより下側が長さｄだけ短く構成されており、浴槽側排水口１４に設置した状態で排水口面に接することなく、大気に開放されるように構成されている。【選択図】図５
2010229772.tif 000002
【特許請求の範囲】
【請求項１】
ドレン排水を、ユニットバス内の防水パンの浴槽側排水口に排水するためのドレン排水部材であって、
本体と、本体内にドレン排水流路部と、本体上部にドレン配管との接続部と、本体下部に出口部と、を備え、
該出口部と該浴槽側排水口上面との間に開口部を有するように構成されて成る、ことを特徴とするドレン排水部材。
【請求項２】
前記本体が前記防水パンの土手部に取り付けられた状態において、前記出口部が、前記浴槽側排水口に設けられた逆止弁の直上に位置するように構成して成る、ことを特徴とする請求項１に記載のドレン排水部材。
【請求項３】
前記ドレン排水流路部は、潜熱回収型熱源機からのドレン排水を排水するための第一のドレン排水流路部と、前記ユニットバスに設置したミストサウナからのドレン排水を排水するための第二のドレン排水流路部と、を備え、
該第一のドレン排水流路部の出口部が、前記逆止弁の直上に位置するように構成されて成ることを請求項１又は２に記載のドレン排水部材。
【請求項４】
前記第一のドレン排水流路部は、逆流防止用の水抜き孔を備えて成ることを特徴とする請求項３に記載のドレン排水部材。
【請求項５】
前記第一のドレン排水流路部を挟んで一対の前記第二のドレン排水流路部を備え、いずれか一方の前記第二のドレン排水流路部の前記接続部に、ミストサウナからのドレン配管を接続可能に構成し、かつ、他方の前記第二のドレン排水流路部の前記接続部を水抜き孔としたことを特徴とする請求項３又は４に記載のドレン排水部材。
【請求項６】
前記第一のドレン排水流路部の出口部断面積を、前記第二のドレン排水流路の出口部断面積より大きく構成したことを特徴とする請求項３乃至５に記載のドレン排水部材。
【発明の詳細な説明】
【技術分野】
【０００１】
本発明はドレン排水部材に関し、より詳細には、ユニットバスエプロン内の浴槽側排水口の上部に設置されるドレン排水部材に関する。
【背景技術】
【０００２】
従来、ユニットバスに取り付けられるミストサウナのドレン処理については、洗い場に直接排水するか、又はエプロン内の浴槽外側面に配管を固定して浴槽側排水口直近まで導き、そのまま排水することが一般的である。また、集合住宅のパイプシャフト（ＰＳ）内に設置される潜熱回収型熱源機からの回収ドレンについても、ＰＳ内で処理できない場合にはミストサウナと同様な方法で浴槽側排水口に排水している。
しかしながら、洗い場に直接排水する方式では、排水部材が浴室内に露出してしまい美観上問題となる。また、入浴時以外のときに排水が行われることもあるため、予期しないときに浴室の床面が濡れてしまうという問題もある。
浴槽側排水口に排水する方式では、エプロン内の防水パンを広範囲に濡らしてしまい、カビ発生等、衛生上の問題がある。また、浴槽側排水口直近までドレン管を配管する方式については、エプロン内空間は狭いため、浴槽の形状やスペースの関係で配管固定できないケースも生じる。特に、ミストサウナと熱源機からのドレン配管が同一方向又は両方向から配管される場合、配管固定することは困難を伴う。また、この方式についても、ドレン量が多い場合にはエプロン内防水パンを広範囲に濡らしてしまうという問題もある。
【０００３】
一方、ユニットバスにおけるドレン排水処理に関しては、ヒートポンプ式浴室除湿機からのドレン配管を、浴槽側排水口に直結する技術が提案されている（例えば特許文献１）。このようなドレン排水処理構造１００は、図１０に示すように、ドレン排水管１０２を浴槽排水エルボ１０４とともに、浴槽側排水口１０１の排水目皿１０３に直結するものである。浴槽側排水口１０１の排水エルボ部１０６は、防水パン１０５に水密に取り付けられており、また、洗い場側排水口（図示せず）と連通している。このような排水処理構造１００によれば、ドレンは排水口内部に直接排水されるため、エプロン内を広範囲に濡らすことはない。また、排水目皿１０３に固定されるため、配管固定の問題に関しても解消される。
【先行技術文献】
【特許文献】
【０００４】
【特許文献１】特開２００８−４５１号公報
【発明の概要】
【発明が解決しようとする課題】
【０００５】
しかしながら、ドレン排水管１０２は封水面１０７より上部で大気に開放されてはいるが、排水口１０１内部に導入されるため、出口部が常に高湿度環境に置かれることになる。このため、端面近傍にスライムなどが発生し易く、排水不良の原因となるという問題もある。
【課題を解決するための手段】
【０００６】
本発明はこのような課題を解決するためのものであって、以下の内容を要旨とする。
すなわち、本発明に係るドレン排水部材は、
（１）ドレン排水を、ユニットバス内の防水パンの浴槽側排水口に排水するためのドレン排水部材であって、本体と、本体内にドレン排水流路部と、本体上部にドレン配管との接続部と、本体下部に出口部と、を備え、該出口部と該浴槽側排水口上面との間に開口部を有するように構成されて成る、ことを特徴とする。
（２）上記発明において、前記本体が前記防水パンの土手部に取り付けられた状態において、前記出口部が、前記浴槽側排水口に設けられた逆止弁の直上に位置するように構成して成る、ことを特徴とする。
（３）上記各発明において、前記ドレン排水流路部は、潜熱回収型熱源機からのドレン排水を排水するための第一のドレン排水流路部と、前記ユニットバスに設置したミストサウナからのドレン排水を排水するための第二のドレン排水流路部と、を備え、該第一のドレン排水流路部の出口部が、前記逆止弁の直上に位置するように構成されて成ることを特徴とする。
（４）上記各発明において、前記第一のドレン排水流路部は、逆流防止用の水抜き孔を備えて成ることを特徴とする。
（５）上記各発明において、前記第一のドレン排水流路部を挟んで一対の前記第二のドレン排水流路部を備え、いずれか一方の前記第二のドレン排水流路部の前記接続部に、ミストサウナからのドレン配管を接続可能に構成し、かつ、他方の前記第二のドレン排水流路部の前記接続部を水抜き孔としたことを特徴とする。
（６）上記発明において、前記第一のドレン排水流路部の出口部断面積を、前記第二のドレン排水流路の出口部断面積より大きく構成したことを特徴とする。
このように構成することにより、潜熱回収型熱源機からのドレン排水の吐出時の水勢を強めて、逆止弁を確実に開弁させることができる。また、ミストサウナからのドレン排水の水勢を弱め、周囲への飛散も少なくすることができる。
【発明の効果】
【０００７】
本発明によれば、浴槽側排水口の直近で排水処理できるため、エプロン内防水パンを広範に濡らすことがなく、エプロン内をドライに保つことができる。
また、浴槽がオーバーハングしていてエプロン内に配管固定スペースがない場合でも、本発明のドレン排水部材を用いることにより、ドレン配管を排水口直近まで導くことが可能となる。
また、本発明のドレン排水部材は、下端部に開口空間を備えているため、スライムやカビの発生を防止することが可能となる。
また、排水管を利用者の目に触れさせることなくエプロン内で排水処理できるため、ユニットバス内の美観を向上させることができる。
また、潜熱回収ドレン排水流路部に逆流防止用の水抜き孔を備えた発明にあっては、浴槽排水が逆流した場合であっても、熱源機側に排水が逆流することがないという効果がある。
【図面の簡単な説明】
【０００８】
【図１】本発明の一実施形態に係るドレン排水部材１を用いたユニットバス１０の配管形態を示す断面図である。
【図２】同上平面図である。
【図３】防水パン１１の洗い場側排水口１７及び浴槽側排水口１４周辺の構成を示す図である。
【図４】浴槽側排水口１４及び洗い場側排水口１７の断面構成を示す図である。
【図５】ドレン排水部材１の全体構成を示す図である。
【図６】ドレン排水部材１の底面構成を示す図である。
【図７】ドレン排水部材１の断面構成を示す図である。
【図８】ドレン排水部材１の土手部１８への取り付け態様を示す図である。
【図９】潜熱回収ドレン排水時の逆止弁１４ｂの動作を示す図である。
【図１０】従来の業務用ドレン排水部材１００を示す図である。
【発明を実施するための形態】
【０００９】
以下、本発明に係るドレン排水部材の一実施形態について、図１乃至９を参照してさらに詳細に説明する。なお、本発明の範囲は特許請求の範囲記載のものであって、以下の実施形態に限定されないことはいうまでもない。
図１乃至３を参照して、本実施形態に係るドレン排水部材１は、浴室間仕切１２内に設置されるユニットバス１０の、底部防水パン１１の浴槽側排水口１４近傍に取付けられている。防水パン１１は、土手部１８を境界として洗い場側１９と浴槽側２０とに区画されており、洗い場側１９には洗い場側排水口１７が、浴槽側２０には浴槽側排水口１４が、それぞれ設けられている。土手部１８の浴槽側排水口１４近傍には、断面半円形状の凹部１８ａが設けられている。凹部１８ａを設けなかった場合には、逆止弁１４ｂや浴槽排水栓の位置が洗い場から離れた位置に配設されることとなるため、エプロン１３を外してメンテナンスする際の作業性が悪化することとなる。後述するように、ドレン排水部材１は凹部１８ａに嵌め込まれている。このように、凹部１８ａにドレン排水部材１を嵌め込むことにより、ドレン排水部材を適切な位置、および出口部を適切な方向に配置することができる。土手部１８の上部にはエプロン１３が取付けられており、エプロン１３の内側と、浴槽２１及び壁面パネル１０ａにより空間１３ａ（以下、エプロン内空間という）が形成されている。
【００１０】
ユニットバス１０の外部には、熱源機１６が設置されている。熱源機１６と浴槽２１に付設された循環アダプター２１ａの間は、追焚配管１６ｂにより結ばれており、風呂給湯及び追焚循環を可能に構成されている。熱源機１６は潜熱回収機能を備えており、潜熱回収に伴い生じるドレンは、貯水タンク（図示せず）に一旦貯水され、一定量以上となると排水ポンプ（図示せず）により排水される。排出されたドレンは、ドレン配管１６ａを経由してユニットバス１０内のエプロン内空間１３ａに導かれ、最終的にドレン排水部材１により排水されるように構成されている。なお、ドレン配管１６ａと追焚配管１６ｂとはコンジット管１６ｃ内に一体に収められてユニットバス１０内に導入され、エプロン内空間１３ａにおいて分岐される。
【００１１】
ユニットバス１０の天井部には、ミストサウナ１５が設置されている。ミストサウナ１５は、給水配管１５ｂを介して供給される冷水を、熱源機１６から暖房配管（図示せず）を介して供給される循環温水と熱交換させて暖め、ノズル噴霧してミスト状にして、ユニットバス１０内に供給するものである。ミスト発生時に生じるドレンは、浴室間仕切１２と壁面パネル１０ａとの隙間に配管されるドレン配管１５ａによりエプロン内空間１３ａに導かれ、最終的にドレン排水部材１により排水されるように構成されている。
【００１２】
次に図４を参照して、ドレン排水部材１が取り付けられる浴槽側排水口１４近傍の詳細構成について説明する。浴槽側排水口１４及び洗い場側排水口１７の下側には、それぞれ排水エルボ部２３及びトラップ部２４が取り付けられている。排水エルボ部２３とトラップ部２４は、防水パン１１の床下空間において水密に連通接続されており、それぞれの排水口から流下する排水は、排水管２２を介して外部に排出されるように構成されている。
浴槽２１の排水孔２１ｃ、浴槽側排水口１４の孔部１４ａ及びエルボ部２３は、接続部材ユニット２１ｂによりシールされており、浴槽残り湯を、浴槽側排水口１４を介してエルボ部２３に排水可能に構成されている。浴槽側排水口１４には、浴槽防水パン上の排水を流入可能にするとともに、浴槽排水口１４からの排水の浴槽防水パン側への逆流を防止するための逆止弁１４ｂが、孔部１４ａに隣接して付設されている。逆止弁１４ｂは、弾力性のあるゴム材質で開閉可能に構成され、通常はゴムの自重と弾性により僅かに開弁している。そして、浴槽側排水口１４周囲に流れ込んだ排水は、この僅かな隙間を通って、エルボ部に流れ込むようになっている。また、逆止弁１４ｂは、浴槽排水時には、その排水圧と弾性により、閉弁する。
【００１３】
次に、図５乃至８を参照して、ドレン排水部材１の詳細構成及び浴槽側排水口１４への設置の形態について説明する。ドレン排水部材１は、本体２と、本体２の上面２ｅの中央に潜熱回収ドレン配管１６ａとの接続部３ａと、その両側にミストドレン配管１５ａとの接続部４ａ、４ｂと、本体２の両側面に翼部２ｃと、を主要構成として備えている。各ドレン配管と各接続部は、それぞれエルボ１６ｄ、１５ｃを介して接続されている。本体２は、円筒体の端部分を中心軸と交わる平面で斜め縦方向に切り取った形状をなし、前面部２ａが中央部を除いて平面、背面部２ｂが曲面に構成されている。後述するように、背面部２ｂの曲率は、土手部１８に設けた凹部１８ａの曲率と合わせるように形成されている。図６に示すように、本体２内部には空洞部２ｄが形成されている。
【００１４】
前面部２ａには、潜熱回収ドレン排水のための排水路３が設けられている。排水路３は、接続部３ａと、前面部２ａ中央に突出する流路３ｂと、接続部３ａの背面側に設けられた逆流防止用の水抜き孔３ｄと、により構成されている。図７に示すように、流路３ｂは垂直方向に対して角度θをなして設けられているが、これは後述するように、排水の便宜を考慮したためである。
なお、ドレン排水部材１には、ミストドレンのための専用排水路は設けられておらず、接続部４ａに導かれるミストドレンは、本体２の内側表面を伝って流下するように構成されている。
前面部２ａは、背面部２ｂより下側が長さｄだけ短く構成されており、これにより下端出口部に開口部５が形成されている。このような開口部５を備えることにより、ドレン排水部材１は、後述するように浴槽側排水口１４に設置した状態で排水口面に接することなく、大気に開放されるように構成されている。
【００１５】
ドレン排水部材１は以上のように構成されており、次に、図８を参照して、ドレン排水部材１の浴槽側排水口１４への設置について説明する。まず、背面部２ｂの曲面を浴槽側排水口１４の凹部１８ａに嵌めこむように配置する。次に、両翼部２ｃの裏側に設けられ両面テープ（図示せず）により、両翼部２ｃを土手部１８側面に貼付固定する。この位置において、ドレン排水部３の排水流路部３ｂの下端が、逆止弁１４ｂの直上に位置するように配置されている。
【００１６】
次に、図９を参照して、ドレン排水部材１による潜熱回収ドレン及びミストドレンの排水態様について説明する。熱源機１６から排出される潜熱回収ドレンについては、接続部３ａに導かれ、排水流路３内を流下して下端出口部から浴槽側排水口１４の逆止弁１４ｂの上に排出される。この場合、潜熱回収ドレンについては流量が比較的多いため、逆止弁１４ｂは直ちに開弁する。これにより、ドレンはエルボ部２３内に流下して、さらに排水管２２を介して外部に排出される。その際、逆止弁１４ｂを大きく開弁させるために、排水流路の下端出口部の流路径を絞って、排出時の水勢が強くなるようにしている。
一方、ミストサウナ１５からのドレンについては、ドレン配管１５ａを経由して接続部４ａに導かれる。さらに、本体２の内側表面を伝って流下し、浴槽側排水口１４上に溜まっていく。この場合、ミストサウナからのドレン量は比較的少ないため、逆止弁１４ｂは大きくは開弁せず、逆止弁１４ｂの僅かに開いた隙間から排水エルボ２３内に流れ込む。
このように、いずれのドレンについても大量に滞留することなく、一定量を超えた場合には逆止弁１４ｂが開弁するため、エプロン内空間１３ａが高湿度となることはない。
【００１７】
なお、本実施形態では、ミストドレン配管１５ａを右側接続部４ａに接続する例を示したが、エプロン内空間の状態に応じて、左側接続部４ｂに接続する形態とすることもできる。
【産業上の利用可能性】
【００１８】
本発明は、潜熱回収型熱源機、ミストサウナのみならず、ヒートポンプ除湿機等、ユニットバスに設置される他の機器・システムから発生するドレンの処理のための排水部材としても適用可能である。
さらに、ユニットバスに限らず、浴室一般のドレン排水処理のための排水部材としても適用可能である。
【符号の説明】
【００１９】
１・・・・ドレン排水部材
２・・・・本体
３・・・・排水路
３・・・・ドレン排水部
３・・・・排水流路
３ｂ・・・排水流路部
４ａ・・・接続部
５・・・・開口部
１０・・・ユニットバス
１１・・・防水パン
１３・・・エプロン
１４・・・浴槽側排水口
１４ｂ・・逆止弁
１５・・・ミストサウナ
１５ａ・・ミストドレン配管
１６・・・熱源機
１６ａ・・ドレン配管
１８・・・土手部
２３・・・排水エルボ部
２３・・・エルボ部
【図１】
2010229772.tif 000003
【図２】
2010229772.tif 000004
【図３】
2010229772.tif 000005
【図４】
2010229772.tif 000006
【図５】
2010229772.tif 000007
【図６】
2010229772.tif 000008
【図７】
2010229772.tif 000009
【図８】
2010229772.tif 000010
【図９】
2010229772.tif 000011
【図１０】
2010229772.tif 000012